(57)【要約】【課題】  設置面の材質に左右されることなく、調理用油除けパネルの設置状態を安定した状態で保持することが可能なパネル保持具を提供する。【解決手段】  パネル保持具１は、オレフィン系エラストマーよりなる溶融素材を押出成形して、円筒形状に形成された形状弾性を有する弾性体よりなり、全体が一定の自己粘着性を有する。パネル保持具１の外周壁２には、長手方向の全域に延びる切れ目４が形成されている。調理用油除けパネルに取り付ける際には、切れ目４を拡げて調理用油除けパネルの下部の縁巻に巻き付けるようにしてパネル保持具１を装着する。このように構成すると、パネル保持具１の大きな摩擦抵抗によって調理用油除けパネルの設置状態が安定する。【選択図】  図１
2010181062.tif 000002
【特許請求の範囲】
【請求項１】
少なくとも下方周縁に縁巻が形成された調理用油除けパネルを保持して設置するためのパネル保持具であって、
形状弾性を有し、且つ表面の静止摩擦係数が前記縁巻の表面の静止摩擦係数より大きな材料で形成された筒形状よりなり、長手方向に直交する断面においてその内周壁が前記縁巻の外周壁に対応した大きさに設定されると共に、その側壁に長手方向の全域に延びる切れ目又は切欠きが形成され、前記切れ目又は前記切欠きを拡げることによって、前記縁巻に脱着自在に装着される、パネル保持具。
【請求項２】
合成樹脂よりなり、円筒形状を有すると共にその内径は前記縁巻の平均外径にほぼ一致し、前記側壁に前記切れ目が形成される、請求項１記載のパネル保持具。
【請求項３】
自己粘着性を有する材料よりなる、請求項１又は請求項２記載のパネル保持具。
【請求項４】
前記側壁の表面が凹凸形状に形成される、請求項１又は請求項２記載のパネル保持具。
【発明の詳細な説明】
【技術分野】
【０００１】
この発明はパネル保持具に関し、特に台所のレンジ周りに立設される調理用油除けパネル等を保持するためのパネル保持具に関するものである。
【背景技術】
【０００２】
調理時の油跳ねから周囲を保護するために台所のレンジ周りに立設される調理用油除けパネルは、アルミニウム箔や鉄板等を成形加工したものが多く、その周囲に安全のための縁巻加工が施されているのが一般的である。
【０００３】
尚、この調理用油除けパネルは、そのまま立設すると特にアルミニウム箔製の軽量のものは不用意にパネルが移動してしまい、安定した設置状態を保つことが困難であった。
【０００４】
そこで、特許文献１に示されているようなパネル保持具が提案されている。
上記のパネル保持具は、磁石が収納された固定部材と、固定部材に接続された調理用油除けパネルを保持する保持部材とから構成されている。使用時には、保持部材を介して調理用油除けパネルにパネル保持具を取り付け、レンジを構成する磁性体に固定部材の磁石を吸着させることでその位置を固定し、調理用油除けパネルの設置状態を安定させる。
【先行技術文献】
【特許文献】
【０００５】
【特許文献１】特開２００７−１０７７９５号公報
【発明の概要】
【発明が解決しようとする課題】
【０００６】
上記のような従来のパネル保持具では、例えばガラスのような非磁性体によって成形されたレンジのトッププレート上においては、調理用油除けパネルを固定することができなかった。
【０００７】
この発明は、上記のような課題を解決するためになされたもので、設置面の材質に左右されることなく、調理用油除けパネルの設置状態を安定した状態で保持することが可能なパネル保持具を提供することを目的とする。
【課題を解決するための手段】
【０００８】
上記の目的を達成するために、請求項１記載の発明は、少なくとも下方周縁に縁巻が形成された調理用油除けパネルを保持して設置するためのパネル保持具であって、形状弾性を有し、且つ表面の静止摩擦係数が縁巻の表面の静止摩擦係数より大きな材料で形成された筒形状よりなり、長手方向に直交する断面においてその内周壁が縁巻の外周壁に対応した大きさに設定されると共に、その側壁に長手方向の全域に延びる切れ目又は切欠きが形成され、切れ目又は切欠きを拡げることによって、縁巻に脱着自在に装着されるものである。
【０００９】
このように構成すると、調理用油除けパネルはパネル保持具を介して設置される。
【００１０】
請求項２記載の発明は、請求項１記載の発明の構成において、合成樹脂よりなり、円筒形状を有すると共にその内径は縁巻の平均外径にほぼ一致し、側壁に切れ目が形成されるものである。
【００１１】
このように構成すると、縁巻の外周壁にパネル保持具の内周壁のほぼ全面が接した状態となる。
【００１２】
請求項３記載の発明は、請求項１又は請求項２記載の発明の構成において、自己粘着性を有する材料よりなるものである。
【００１３】
このように構成すると、パネル保持具の設置面との摩擦抵抗が増大する。
【００１４】
請求項４記載の発明は、請求項１又は請求項２記載の発明の構成において、側壁の表面が凹凸形状に形成されるものである。
【００１５】
このように構成すると、パネル保持具の設置面との摩擦抵抗が増大する。
【発明の効果】
【００１６】
以上説明したように、請求項１記載の発明は、調理用油除けパネルはパネル保持具を介して設置されるので、調理用油除けパネルによって設置面を傷付けることなく、調理用油除けパネルの設置状態が安定する。
【００１７】
請求項２記載の発明は、請求項１記載の発明の効果に加えて、縁巻の外周壁にパネル保持具の内周壁のほぼ全面が接した状態となるので、装着状態が安定すると共に、押出成形で形成できるのでコスト的に有利となる。
【００１８】
請求項３記載の発明は、請求項１又は請求項２記載の発明の効果に加えて、パネル保持具の設置面との摩擦抵抗が増大するので、調理用油除けパネルの設置状態がより安定する。
【００１９】
請求項４記載の発明は、請求項１又は請求項２記載の発明の効果に加えて、パネル保持具の設置面との摩擦抵抗が増大するので、調理用油除けパネルの設置状態がより安定する。
【図面の簡単な説明】
【００２０】
【図１】この発明の第１の実施の形態によるパネル保持具の斜視図である。
【図２】図１で示したパネル保持具の使用状態を示した概略斜視図である。
【図３】図２で示した“Ｘ”部分の拡大斜視図である。
【図４】図３で示したＩＶ−ＩＶラインの拡大断面図である。
【図５】図１で示したパネル保持具を調理用油除けパネルに取り付ける手順を示した概略断面図である。
【図６】図１で示したパネル保持具を調理用油除けパネルの角に取り付けた状態での使用状態を示した概略斜視図である。
【図７】図６で示した“Ｙ”部分の拡大斜視図である。
【図８】この発明の第２の実施の形態によるパネル保持具の斜視図であって、先の第１の実施の形態の図１に対応する図である。
【図９】この発明の第３の実施の形態によるパネル保持具の斜視図であって、先の第１の実施の形態の図１に対応する図である。
【発明を実施するための形態】
【００２１】
図１はこの発明の第１の実施の形態によるパネル保持具の斜視図である。
【００２２】
図を参照して、パネル保持具１は、オレフィン系エラストマーよりなる溶融素材を押出成形して、円筒形状に形成された形状弾性を有する弾性体よりなり、全体が一定の自己粘着性を有する。パネル保持具１の外周壁２には、長手方向の全域に延びる切れ目４が形成されている。尚、パネル保持具１の寸法は、外周壁２の直径Ｄ１が５〜７ｍｍ程度、内周壁３の直径Ｄ２が３ｍｍ前後、パネル保持具１の長さＬが２〜４ｃｍにそれぞれ設定されている。寸法の根拠については後述する。
【００２３】
このように構成すると、パネル保持具１は、押出成形で形成したものをカットするだけで得られるのでコスト的に有利となる。
【００２４】
図２は、図１で示したパネル保持具の使用状態を示した概略斜視図であり、図３は、図２で示した“Ｘ”部分の拡大斜視図である。
【００２５】
これらの図を参照して、アルミ箔製又は鉄板製の調理用油除けパネル１０が、側面パネル１３ａ及び１３ｂと正面パネル１４との下方周縁の中心にパネル保持具１ａ〜１ｃを取り付けた状態で、レンジ３１のトッププレート３２の上に立設されている。尚、調理用油除けパネル１０の全周縁には縁巻１１が形成されており、パネル保持具１は、この縁巻１１に巻きつくようにして取り付けられている。尚、パネル保持具１の調理用油除けパネル１０に対する取付方法については後述する。
【００２６】
このように構成すると、調理用油除けパネル１０はパネル保持具１を介してトッププレート３２の上に設置されるため、調理用油除けパネル１０によってトッププレート３２を傷付けることがない。又、パネル保持具１は自己粘着性を有することから、パネル保持具１の外周壁２の静止摩擦係数は縁巻１１の表面の静止摩擦係数より大きいので、調理用油除けパネル１０の下端が滑りにくくなる。その結果、トッププレート３２の上での調理用油除けパネル１０の設置状態が安定する。
【００２７】
図４は、図３で示したＩＶ−ＩＶラインの拡大断面図である。
【００２８】
図を参照して、パネル保持具１の内周壁３の内側に縁巻１１が収まっていると共に、パネル保持具１の切れ目４が側面パネル１３を挟み込んでいる状態で、パネル保持具１とトッププレート３２とが接触している。尚、調理用油除けパネル１０の縁巻１１の平均外径は、通常は３ｍｍ前後に設定されているので、縁巻１１の外周壁１２にパネル保持具の内周壁３のほぼ全面が接した状態となっている。
【００２９】
このように構成すると、調理用油除けパネル１０に対するパネル保持具１の装着状態が安定する。したがって、パネル保持具１は、調理用油除けパネル１０に対して一体的となり、調理用油除けパネル１０に水平方向の力が加わっても容易には外れることはなく十分に摩擦抵抗力を発揮する。
【００３０】
図５は、図１で示したパネル保持具を調理用油除けパネルに取り付ける手順を示した概略断面図である。
【００３１】
まず、図５の（１）を参照して、縁巻１１の下端とパネル保持具１の切れ目４とを向かい合わせる。
【００３２】
次に、図５の（２）を参照して、切れ目４を手で左右に拡げてパネル保持具１を変形させた状態で、パネル保持具１を縁巻１１の下端に向かって移動させる。
【００３３】
更に、図５の（３）を参照して、パネル保持具１の内周壁３と縁巻１１の外周壁１２とが接触したところで、切れ目４から手を離してパネル保持具１の変形状態を解く。すると、パネル保持具１の形状弾性によってパネル保持具１は縁巻１１に巻き付くように取付けられる。尚、パネル保持具１を縁巻１１から取り外したいときは、再度切れ目４を左右に拡げてパネル保持具１を変形させれば良い。このようにして、パネル保持具１は縁巻１１に脱着自在に装着される。
【００３４】
このようにパネル保持具１は構成されているため、縁巻１１へのパネル保持具１の取り付けが容易となる。
【００３５】
図６は、図１で示したパネル保持具を調理用油除けパネルの角に取り付けた状態での使用状態を示した概略斜視図であり、図７は、図６で示した“Ｙ”部分の拡大斜視図である。
【００３６】
これらの図を参照して、調理用油除けパネル１０が、側面パネル１３ａ及び１３ｂの下方の角１５の周縁にパネル保持具１ａ及び１ｂを取り付けた状態で、レンジ３１のトッププレート３２の上に立設されている。尚、形状弾性を有するパネル保持具１は、側面パネル１３の下方周縁から下方の角１５の周縁にかけて形成された縁巻１１に巻きつくようにして取り付けられている。尚、パネル保持具１の長さは２〜４ｃｍであるため、図５で示した方法でパネル保持具１を角１５近辺に容易に取付けることが可能となる。
【００３７】
このように構成すると、調理用油除けパネル１０に前に傾こうとする力が加わっても、調理用油除けパネル１０とトッププレート３２との間にはパネル保持具１が存在するため、パネル保持具１の摩擦抵抗力が発揮される。
【００３８】
又、側面パネル１３と正面パネル１４との接合部分からパネル保持具１が取付けられた部分までの距離が長くなるため、パネル保持具１の水平方向の移動に対する阻止力が大きくなる。
【００３９】
更に、パネル保持具１ｃと、パネル保持具１ａ及び１ｂとの水平距離が長くなるため、調理用油除けパネル１０の設置状態がより安定する。
【００４０】
以上のように、パネル保持具１は構成されているが、ここで図１を参照しつつ先述した寸法の根拠について説明する。
【００４１】
パネル保持具１の外周壁２の直径Ｄ１が５〜７ｍｍ程度とされているのは、外周壁２の直径が大き過ぎるとパネル保持具１の全体が硬くなって取付け難くなるためである。
【００４２】
パネル保持具１の内周壁３の直径Ｄ２が３ｍｍ前後とされているのは、内周壁３の直径が小さ過ぎると縁巻１１への取り付けが難しくなり、逆に大き過ぎると縁巻１１から外れ易くなるためである。
【００４３】
パネル保持具１の長さＬが２〜４ｃｍとされているのは、長さが２ｃｍ以下になるとパネル保持具１の滑り止めとしての機能が果たしにくくなり、長さが４ｃｍ以上になると滑り止めの機能は果たすが、見た目が目立つと共に縁巻１１への取り付けが難しくなるからである。
【００４４】
図８は、この発明の第２の実施の形態によるパネル保持具の斜視図であって、先の第１の実施の形態の図１に対応する図である。
【００４５】
図を参照して、第１の実施の形態によるパネル保持具１の形状が、円筒形状のものから側壁及び内周壁３の長手方向に直交する断面が矩形となる筒形状のものに置き換わっている。尚、内周壁３は一辺が縁巻の平均外径に一致する長さになるように縁巻の外周壁に対応した大きさに設定されている。又、他のパネル保持具１の構成要素は第１の実施の形態によるものと同一であるため、ここでの説明は繰り返さない。
【００４６】
このように構成すると、矩形の内周壁３を有するパネル保持具１であっても、同様に縁巻１１に取り付け可能となる。尚、このパネル保持具１の設置面（下面）は平坦面であるため、パネル保持具１単独での設置状態はより安定する。
【００４７】
図９は、この発明の第３の実施の形態によるパネル保持具の斜視図であって、先の第１の実施の形態の図１に対応する図である。
【００４８】
図を参照して、パネル保持具１の形状が、第１の実施の形態によるパネル保持具１の外周壁２の形状に、長手方向の全域に延びる複数の凸部５が設けられたものに置き換わっている。尚、他のパネル保持具１の構成要素は第１の実施の形態によるものと同一であるため、ここでの説明は繰り返さない。
【００４９】
このように構成すると、凸部５が無いものに比べてパネル保持具１とトッププレート３２との摩擦抵抗が増大して、調理用油除けパネル１０の設置状態がより安定する。パネル保持具１の材質が自己粘着性を有さないものの場合にはより効果的となる。
【００５０】
尚、上記の各実施の形態では、パネル保持具はオレフィン系エラストマーからなるものであったが、例えば、スチレン系エラストマー、ウレタン系エラストマー、ポリエステル系エラストマー及び塩化ビニル樹脂等であっても良く、少なくとも表面の静止摩擦係数が取付対象となる縁巻の表面の静止摩擦係数より大きな材料で形成されるものであれば良い。
【００５１】
又、上記の各実施の形態では、パネル保持具の外周壁に長手方向の全域に伸びる切れ目が形成されていたが、この切り目は切欠きであっても良い。尚、切欠きの幅は取付対象のパネルの厚さと同一が好ましいが、縁巻きの外径の２分の１以下であれば特に問題はない。
【００５２】
更に、上記の各実施の形態では、調理用油除けパネルの全周縁に縁巻が形成されていたが、少なくとも下方周縁に縁巻が形成されていれば良い。
【００５３】
更に、上記の第１の実施の形態では、内周壁の径を３ｍｍ前後としていたが、この径は縁巻きの平均外径にほぼ一致するものであれば良い。
【００５４】
更に、上記の第２の実施の形態では、パネル保持具の形状は、側壁及び内周壁の長手方向に直交する断面が矩形となる筒形状としていたが、内周壁が縁巻の外周壁に内接するような対応した大きさに設定されていれば、外周壁は他の多角形やかまぼこ型等の形状であっても良い。
【００５５】
更に、上記の各実施の形態では、パネル保持具は、レンジのトッププレートの上に立設される小型の調理用油除けパネルに使用されているが、レンジの上に直接立設してトッププレートの周囲を囲む大型の調理用油除けパネルにも使用可能である。
【符号の説明】
【００５６】
１…パネル保持具
２…外周壁
３…内周壁
４…切れ目
５…凸部
１０…調理用油除けパネル
１１…縁巻
１２…外周壁
尚、各図中同一符号は同一又は相当部分を示す。
【図１】
2010181062.tif 000003
【図２】
2010181062.tif 000004
【図３】
2010181062.tif 000005
【図４】
2010181062.tif 000006
【図５】
2010181062.tif 000007
【図６】
2010181062.tif 000008
【図７】
2010181062.tif 000009
【図８】
2010181062.tif 000010
【図９】
2010181062.tif 000011